(57)【要約】【課題】水耕栽培用パネルに形成されている植え付け孔の間隔を調節することができる植え付け孔間隔調節カバーの提供を目的とする。【解決手段】植え付け孔５１が所定間隔で複数形成された水耕栽培用パネル５０の上面に載置される植え付け孔間隔調節カバー１０を、プラスチックシート１１に、水耕栽培用パネル５０の植え付け孔５１の１個おきまたは複数個おきの間隔でカバー側植え付け孔１３が形成され、カバー側植え付け孔１３間が無孔とされたもので構成し、植え付け孔５１が所定間隔で複数形成された水耕栽培用パネル５０の上面に植え付け孔間隔調節カバー１０を載置することで、水耕栽培用パネル５０に形成されている植え付け孔５１の間隔を調節可能にした。【選択図】図１
2017086034.tif 000002
【特許請求の範囲】
【請求項１】
植え付け孔が所定間隔で複数形成された水耕栽培用パネルの上面に載置される植え付け孔間隔調節カバーであって、
前記植え付け孔間隔調節カバーは、プラスチックシートに、前記水耕栽培用パネルの植え付け孔の１個おきまたは複数個おきの間隔でカバー側植え付け孔が形成され、前記カバー側植え付け孔間が無孔とされていることを特徴とする水耕栽培用パネルの植え付け孔間隔調節カバー。
【請求項２】
前記植え付け孔間隔調節カバーは、前記カバー側植え付け孔が形成されていない無孔部分に、該無孔部分で覆われることになる前記水耕栽培用パネルの植え付け孔に嵌まる位置決め凹部が下方へ突出形成されていることを特徴とする請求項１に記載の水耕栽培用パネルの植え付け孔間隔調節カバー。
【請求項３】
前記位置決め凹部の外周面には、前記位置決め凹部が嵌まる前記水耕栽培用パネルの植え付け孔の周縁と係合する係合突部が形成されていることを特徴とする請求項２に記載の水耕栽培用パネルの植え付け孔間隔調節カバー。
【請求項４】
前記植え付け孔間隔調節カバーは、上面が白色系からなる一方、下面が黒色系からなることを特徴とする請求項１から３の何れか一項に記載の水耕栽培用パネルの植え付け孔間隔調節カバー。
【発明の詳細な説明】
【技術分野】
【０００１】
本発明は、水耕栽培用パネルに形成されている植え付け孔の間隔を、栽培植物に適した間隔に調節するための植え付け孔間隔調節カバーに関する。
【背景技術】
【０００２】
近年、培養液槽内の培養液上に、植物が植えられた水耕栽培用パネルを配置して植物を栽培する水耕栽培が行われている。
前記水耕栽培用パネルは、発泡スチロール板や、プラスチックシートを貼り合わせたパネル等に、複数の植え付け孔が設定間隔で形成されたもので構成されている。水耕栽培では、前記植え付け孔に植物が植え付けられ、植え付け孔から下方へ突出した植物の根が、水耕栽培用パネルの配置されている培養液に漬かるようにされる。
【０００３】
水耕栽培する植物は、種類によって最適な植え付け間隔が異なる。そのため、水耕栽培用パネルは、水耕栽培する植物に適した間隔で植え付け孔が形成されたものが必要となる。
【０００４】
しかしながら、水耕栽培する生産者にとって、栽培する植物毎に植え付け孔の間隔が異なる水耕栽培用パネルを用意することは、在庫管理が複雑になり、費用が嵩む問題がある。
【０００５】
なお、水耕栽培用パネルに形成されている複数の植え付け孔を、一つおきや二つおきに使用して、植え付け間隔を調節することも考えられるが、その場合、使用しない植え付け孔から外光が栽培液側へ入射するようになるため、藻が発生し易くなる問題がある。
【先行技術文献】
【特許文献】
【０００６】
【特許文献１】特開２００９−３４０４４号公報
【発明の概要】
【発明が解決しようとする課題】
【０００７】
本発明は前記の点に鑑みなされたものであって、水耕栽培用パネルに形成されている植え付け孔の間隔を調節することができる植え付け孔間隔調節カバーの提供を目的とする。
【課題を解決するための手段】
【０００８】
請求項１の発明は、植え付け孔が所定間隔で複数形成された水耕栽培用パネルの上面に載置される植え付け孔間隔調節カバーであって、前記植え付け孔間隔調節カバーは、プラスチックシートに、前記水耕栽培用パネルの植え付け孔の１個おきまたは複数個おきの間隔でカバー側植え付け孔が形成され、前記カバー側植え付け孔間が無孔とされていることを特徴とする。
【０００９】
請求項２の発明は、請求項１において、前記植え付け孔間隔調節カバーは、前記カバー側植え付け孔が形成されていない無孔部分に、該無孔部分で覆われることになる前記水耕栽培用パネルの植え付け孔に嵌まる位置決め凹部が下方へ突出形成されていることを特徴とする。
【００１０】
請求項３の発明は、請求項２において、前記位置決め凹部の外周面には、前記位置決め凹部が嵌まる前記水耕栽培用パネルの植え付け孔の周縁と係合する係合突部が形成されていることを特徴とする。
【００１１】
請求項４の発明は、請求項１から３の何れか一項において、前記植え付け孔間隔調節カバーは、上面が白色系からなる一方、下面が黒色系からなることを特徴とする。
【発明の効果】
【００１２】
請求項１の発明によれば、植え付け孔間隔調節カバーを水耕栽培用パネルの上面に配置することによって、植え付け孔の間隔を水耕栽培用パネルに形成されている植え付け孔の間隔より大にすることができるため、水耕栽培する植物の種類毎に植え付け孔の間隔を異ならせた水耕栽培用パネルを用意する必要がなくなり、水耕栽培用パネルが基本タイプの一種類でよくなり、在庫管理が簡単になる。さらに、植え付け孔間隔調節カバーは、水耕栽培用パネルの上面に配置されるものであるため、水耕栽培用パネルよりも強度や剛性などの物性が低くてよく、厚みも薄くてよいため、水耕栽培用パネルよりも安価にでき、水耕栽培用パネルを複数種類用意するよりも合理的である。さらに、請求項１の発明によれば、水耕栽培用パネルにおいて使用しない植え付け孔は、植え付け孔間隔調節カバーの無孔部分で覆われるため、外光が水耕栽培用パネルの使用していない植え付け孔を通って下側(裏側)へ直接入り込むことによる藻の発生を防ぐことができる。
【００１３】
請求項２の発明よれば、植え付け孔間隔調節カバーの無孔部分に形成されている位置決め凹部を、水耕栽培用パネルの使用しない植え付け孔に嵌めることによって、植え付け孔間隔調節カバーを水耕栽培用パネルの上面に位置決め配置することができ、植物の植え付け作業等が容易になる。
【００１４】
請求項３の発明によれば、植え付け孔間隔調節カバーの位置決め凹部の外周面には、前記凹部が嵌まる水耕栽培用パネルの植え付け孔の周縁と係合する係合突部が形成されているため、清掃作業等の際に植え付け孔間隔調節カバーが水耕栽培用パネルから簡単に外れるのを防ぐことができ、作業が容易になる。
【００１５】
請求項４の発明によれば、植え付け孔間隔調節カバーの上面が白色系からなるため、上面の反射光を大にして植物の葉に効率的に照射させることができ、光合成による生育を高めることができる。また、植え付け孔間隔調節カバーの下面が黒色系からなるため、植え付け孔間隔調節カバーの下面（裏面）側を暗くすることができ、藻の発生をより効果的に防ぐことができる。
【図面の簡単な説明】
【００１６】
【図１】本発明の第１実施形態に係る植え付け孔間隔調節カバーを水耕栽培用パネルと共に示す上側斜視図である。
【図２】図１の水耕栽培用パネルを下側から見た斜視図である。
【図３】図１のＡ−Ａ断面図、Ｂ部拡大図、Ｃ−Ｃ断面図である。
【図４】図１の植え付け孔間隔調節カバーの使用状態を示す斜視図である。
【図５】第２実施形態に係る植え付け孔間隔調節カバーを水耕栽培用パネルと共に示す上側斜視図である。
【図６】図５のＤ−Ｄ断面図、Ｅ−Ｅ断面図である。
【図７】図５の植え付け孔間隔調節カバーの使用状態を示す斜視図である。
【発明を実施するための形態】
【００１７】
本発明の植え付け孔間隔調節カバーは、所定間隔で植え付け孔が複数形成されている水耕栽培用パネルの上面に配置されるものである。本発明の植え付け孔間隔調節カバーが配置される水耕栽培用パネルは、板状体に所定間隔で複数の植え付け孔が形成されたものであれば特に制限はなく、発泡スチロール製の板状体やプラスチックシートを貼り合わせてパネルとしたもの等の何れでもよい。
【００１８】
図１から図４に、本発明の第１実施形態に係る植え付け孔間隔調節カバー１０と水耕栽培用パネル５０を示す。
【００１９】
まず、図示の水耕栽培用パネル５０について説明する。図示の水耕栽培用パネル５０は、図１〜図３のように、ポリプロピレンシート等からなる平板状の上側プラスチックシート６１と、内側が下方へ窪んだ下側プラスチックシート７１とを、外周縁５２及び植え付け孔５１の周縁で貼り合わせたものである。前記水耕栽培用パネル５０の外形寸法、植え付け孔５１の間隔、個数、サイズ等は適宜設定される。図示の例の水耕栽培用パネル５０は、平面形状が四角形からなって、直交する二辺のうち一辺に沿うＸ方向の外形寸法が６００ｍｍ、他辺に沿うＹ方向の外形寸法が４７０ｍｍ、高さが３０ｍｍである。また、図示の例の植え付け孔５１は、前記Ｘ方向の間隔ａが７０ｍｍ、Ｙ方向の間隔ｂが１０５ｍｍ、孔径が３２ｍｍに設定され、合計６０個形成されている。
【００２０】
前記水耕栽培用パネル５０の植え付け孔５１の部分は、図３に示すように、前記上側プラスチックシート６１に孔６３が形成され、一方、下側プラスチックシート７１には、上下両端で開口した上向きの筒部７２が屈曲形成され、さらに前記筒部７２の上端７３が内向きに環状に突出して前記上側プラスチックシート６１の孔６３の周縁と接合されている。前記水耕栽培用パネル５０は、前記植え付け孔５１間の部分が中空になっており、培溶液に浮くことができる。
【００２１】
前記植え付け孔間隔調節カバー１０は、前記水耕栽培用パネル５０の植え付け孔５１の全てを覆うことのできる平面サイズのプラスチックシート１１に、前記水耕栽培用パネル５０の植え付け孔５１の１個おきまたは複数個おきの間隔で、カバー側植え付け孔１３が、前記水耕栽培用パネル５０の植え付け孔５１と対応する位置に形成され、前記カバー側植え付け孔１３間については無孔にされている。
【００２２】
前記プラスチックシート１１は、特に限定されず、ポリプロピレンシート等の熱可塑性プラスチックシートが好適である。また、前記プラスチックシート１１は、一層に限られず、二層以上の複層であってもよい。図示のプラスチックシート１１は、ポリプロピレンからなり、図３に示すように、厚み０．７ｍｍの中間シート１１ａと、厚み０．１ｍｍの上側シート１１ｂと、厚み０．１ｍｍの下側シート１１ｃが貼り合わされた三層構造からなり、厚みの大の中間シート１１ａで強度及び剛性を高め、厚みの薄い上側シート１１ｂと下側シート１１ｃで所定の色にしている。また、上側シート１１ｂには耐候剤を含有させて耐候製を高めても良い。なお、三層等の複層のプラスチックシート自体は、多層押出成形等によって製造される。
【００２３】
図示の植え付け孔間隔調節カバー１０は、平面形状が四角形からなって、直交する二辺のうち一辺に沿うＸ方向の外形寸法が５９０ｍｍ、他辺に沿うＹ方向の外形寸法が４６０ｍｍである。また、図示の例のカバー側植え付け孔１３は、前記水耕栽培用パネル５０に形成されている植え付け孔５１に対し、Ｘ方向及びＹ方向に沿ってそれぞれ一つおきの位置に、前記水耕栽培用パネル５０の植え付け孔５１と同じ孔径３２ｍｍで形成されている。すなわち、図示の例のカバー側植え付け孔１３は、図１に示すように、前記水耕栽培用パネル５０に形成されている植え付け孔５１の間隔の２倍の間隔とされ、前記Ｘ方向の間隔ｃが１４０ｍｍ（水耕栽培用パネルでは７０ｍｍ）、Ｙ方向の間隔ｄが２１０ｍｍ（水耕栽培用パネルでは１０５ｍｍ）に設定され、合計１６個（水耕栽培用パネルでは６０個）形成されている。
【００２４】
また、前記植え付け孔間隔調節カバー１０は、前記カバー側植え付け孔１３間の無孔部分１４には、該無孔部分１４で覆われることになる前記水耕栽培用パネル５０の植え付け孔５１に嵌まる位置決め凹部１７が下方へ突出形成されている。図示の例では、前記位置決め凹部１７は、前記植え付け孔間隔調節カバー１０の無孔部分で覆われることになる前記水耕栽培用パネル５０の植え付け孔５１のすべてに対応させて設けられているが、一部に対応させて設けてもよい。前記位置決め凹部１７は、前記水耕栽培用パネル５０の植え付け孔５１の径とほぼ等しい外径からなる有底の筒状凹部からなり、図示の例では、深さが５ｍｍである。前記位置決め凹部１７を有する植え付け孔間隔調節カバー１０は真空成形によって形成することができる。
【００２５】
図３に示すように、前記位置決め凹部１７の外周面には、前記水耕栽培用パネル５０の植え付け孔５１に前記位置決め凹部１７が嵌まった際に、前記植え付け孔５１の周縁裏側（下側）と係合する係合突部１９が形成されている。前記係合突部１９は、前記位置決め凹部１７を前記水耕栽培用パネル５０の植え付け孔５１に嵌める際に、前記係合突部１９の付近が弾性変形して前記植え付け孔５１を通過し、その後に復元して前記植え付け孔５１の周縁裏側（下側）に係合する。
【００２６】
また、前記植え付け孔間隔調節カバー１０は、上面１０ａが白色系からなる一方、下面１０ｂが黒色系からなる。白色系とは、白色及び白色と感じられる色であり、また、黒色系とは、黒色及び黒色と感じられる色である。なお、前記植え付け孔間隔調節カバー１０が三層構造のプラスチックシート１１からなる図示の例では、上側シート１１ｂが白色系、下側シート１１ｃが黒色系に着色されている。また、前記中間シート１１ａを無くして、白色系の上側シート１１ｂと黒色系の下側シート１１ｃの二層構造としてもよい。
【００２７】
図４に示すように、前記第１実施形態の植え付け孔間隔調節カバー１０は、前記水耕栽培用パネル５０の上面に配置される。その際、前記位置決め凹部１７を前記水耕栽培用パネル５０の植え付け孔５１に嵌め、前記係合突部１９を前記植え付け孔５１に係合させることにより、正しい位置に植え付け孔間隔調節カバー１０をセットし、固定することができる。
【００２８】
前記第１実施形態の植え付け孔間隔調節カバー１０を前記水耕栽培用パネル５０の上面に配置することにより、前記水耕栽培用パネル５０に形成されている植え付け孔５１のＸ方向の間隔７０ｍｍ、Ｙ方向の間隔１０５ｍｍから、Ｘ方向の間隔１４０ｍｍ、Ｙ方向の間隔２１０ｍｍのカバー側植え付け孔１３の間隔に拡げることができる。
【００２９】
図５〜図６に示す第２実施形態の植え付け孔間隔調節カバー１０Ａは、カバー側植え付け孔１３を、前記水耕栽培用パネル５０に形成されている植え付け孔５１に対し、Ｘ方向に２つおき、Ｙ方向に１つおきに形成し、前記カバー側植え付け孔１３のＸ方向の間隔ｅを２１０ｍｍ（水耕栽培用パネルは７０ｍｍ）、Ｙ方向の間隔ｆを２１０ｍｍ（水耕栽培用パネルは１０５ｍｍ）にし、合計１２個（水耕栽培用パネルは６０個）形成した例である。
【００３０】
なお、第２実施形態の植え付け孔間隔調節カバー１０Ａは、植え付け孔１３の間隔以外の構成が第１実施形態能越家孔間隔調節カバー１０と同様であり、詳細な説明を省略する。また、第２実施形態の植え付け孔間隔調節カバー１０Ａにおける各部の符号については、前記第１実施形態の植え付け孔間隔調節カバー１０と同一の名称部分は、同一の符号を用いた。
【００３１】
図７に示すように、前記第２実施形態の前記植え付け孔間隔調節カバー１０Ａを前記水耕栽培用パネル５０の上面に配置することにより、前記水耕栽培用パネル５０に形成されている植え付け孔５１のＸ方向の間隔７０ｍｍ、Ｙ方向の間隔１０５ｍｍから、Ｘ方向の間隔２１０ｍｍ、Ｙ方向の間隔２１０ｍｍのカバー側植え付け孔１３の孔間隔に拡げることができる。
【００３２】
このように、本発明の植え付け孔間隔調節カバーは、水耕栽培用パネルの上面に配置することによって、植え付け孔の間隔を水耕栽培用パネルに形成されている植え付け孔の間隔より大にすることができるため、植え付け孔の間隔を拡げるために水耕栽培用パネルを別に用意する必要がなく、水耕栽培用パネルが基本タイプの一種類でよくなり、在庫管理が簡単になる。また、植え付け孔間隔調節カバーは、水耕栽培用パネルよりも強度や剛性などの物性が低くてよく、厚みも薄くてよいため、水耕栽培用パネルよりも安価にでき、水耕栽培用パネルを複数種類用意するよりも合理的である。さらに、本発明の植え付け孔間隔調節カバーは、水耕栽培用パネルにおいて使用しない植え付け孔を、植え付け孔間隔調節カバーの無孔部分で覆うため、外光が水耕栽培用パネルの使用していない植え付け孔を通って下側(裏側)へ入り込むのを防ぐことができ、藻の発生を防ぐことができる。
【００３３】
なお、本発明は、前記実施形態に限られるものではなく、例えば、水耕栽培用パネル及び植え付け孔間隔調節カバーの材質、寸法、植え付け孔の間隔、数、サイズ、位置決め凹部の数、サイズ、係合部の形状等について、本発明の趣旨を逸脱しない範囲で変更可能である。
【符号の説明】
【００３４】
１０、１０Ａ  植え付け孔間隔調節カバー
１３  カバー側植え付け孔
１４  無孔部分
１７  位置決め凹部
１９  係合突部
５０  水耕栽培用パネル
５１  植え付け孔
【図１】
2017086034.tif 000003
【図２】
2017086034.tif 000004
【図３】
2017086034.tif 000005
【図４】
2017086034.tif 000006
【図５】
2017086034.tif 000007
【図６】
2017086034.tif 000008
【図７】
2017086034.tif 000009